(57)【要約】      （修正有）【課題】ドアに設けた電気機器へ電磁誘導作用を用いて給電する装置において、給電時に電源側の一次コイルとドア側の二次コイルとをできるだけ隙間無く近接させる。【解決手段】ドア周辺部Ｗの受け部Ｘに面する位置に電源Ｐと配線１１で接続された一次コイル１０が配設され、施錠手段Ｑのラッチ部材Ｒの先端部位に電気機器Ｅと配線３ａ，３ｂで接続された二次コイル２０が配設される。ドアＤを閉めラッチ部材Ｒを前進させると、一次コイルと二次コイルとが対面することにより、電力が電磁誘導作用で一次コイルから二次コイルへ供給され、電気機器への給電がなされる。ラッチ部材の先端部位は付勢手段８により受け部へ押しつけられるため、一次コイルと二次コイルとは隙間なく接するので、電磁誘導による給電性能が安定する。ラッチ部材を後退させれば、一次コイルと二次コイルとが離隔して電気機器への通電が停止する。【選択図】図１
2009041196.tif 000002
【特許請求の範囲】
【請求項１】
ドアに設けた電気機器へ電力を供給するための装置であって、ドア枠又は建物躯体等のドア周辺部に設けた受け部に対して進退するラッチ部材がドアの側縁部に設けられ、電源に接続された一次コイルがドア周辺部の受け部に面する位置又は近接する位置に配設され、電気機器に接続された二次コイルがラッチ部材における前記受け部に臨む部位に配設され、ドアを閉めてラッチ部材を受け部へ移動させたときに、前記一次コイルと二次コイルとが対面することにより、電磁誘導によって電気機器へ電力が供給されることを特徴とするドア給電装置。
【請求項２】
ドアに設けた電気機器へ電力を供給するための装置であって、ドア枠又は建物躯体等のドア周辺部に設けた受け部に対して進退するラッチ部材がドアの側縁部に設けられ、電源と接続された電源側一次コイルがドア周辺部の受け部に面する位置又は近接する位置に配設され、ラッチ部材における受け部に臨む一端部に電源側二次コイルが配設されると共に、ラッチ部材におけるドアに臨む他端部に電源側二次コイルと接続された機器側一次コイルが配設され、電気機器に接続された機器側二次コイルがドアの側縁部近傍に配設され、ドアを閉めてラッチ部材を受け部へ移動させたときに、電源側一次コイルと電源側二次コイルとが対面すると同時に機器側一次コイルと機器側二次コイルとが対面することにより、電磁誘導によって電気機器へ電力が供給されることを特徴とするドア給電装置。
【請求項３】
ラッチ部材を受け部へ移動させたときに、ラッチ部材の二次コイルをドア周辺部の一次コイルへ接近させる方向へ当該ラッチ部材を押しつける手段を設けた請求項１又は２に記載するドア給電装置。
【請求項４】
ドアに蓄電手段が設けられ、ラッチ部材を受け部へ移動させて電気機器へ電力が供給されるときに、前記蓄電手段の充電が同時に行われるように構成した請求項１乃至３のいずれかに記載するドア給電装置。
【請求項５】
電源からドアに設けた電気機器への給電状態を検知する手段を設けた請求項１乃至４のいずれかに記載するドア給電装置。
【発明の詳細な説明】
【技術分野】
【０００１】
本発明は、ドアに設けた電気機器へ電磁誘導作用を用いて給電する装置に関し、詳しくは、給電時に電源側の一次コイルとドア側の二次コイルとをできるだけ隙間無く近接させるようにすることを目的とする。
【背景技術】
【０００２】
特許文献１に、電磁誘導作用を利用して、ドアに設けた電子錠へ開閉動作に要する電力を供給する技術が開示されている。この従来技術では、ドア枠側に電源と接続した一次コイルを配置し、ドア側に電子錠と接続した二次コイルを配置し、ドアを閉止したときに、一次コイルと二次コイルとが対面するように設定してある。ドアを開いた状態では電子錠へ通電されないので、電子錠は動作しない。ドアを閉止すると、一次コイルと二次コイルとが対面することにより、電磁誘導によって電源から電子錠への給電がなされ、開閉動作が可能となる。
【特許文献１】特開２００４−２９３１５１号公報
【発明の開示】
【発明が解決しようとする課題】
【０００３】
特許文献１にあっては、ドア枠側の一次コイルとドア側の二次コイルとを、ドアを閉止したときに対面させるように構成してある。しかるに、ドアとドア枠と間には通常わずかな隙間が設けられているため、一次コイルと二次コイルとの間に不可避的に生じる隙間が電磁誘導の効率低下をもたらすという問題がある。しかも、ドアの取り付け状態によっては、一次コイルと二次コイルとの距離が拡大する可能性があり、給電性能に対する信頼性が低い。
【課題を解決するための手段】
【０００４】
本発明は、ドアに設けた電気機器への給電を確実に行うための手段を提供するものである。本発明に係るドア給電装置の特徴は、請求項１に記載する如く、ドア枠又は建物躯体等のドア周辺部に設けた受け部に対して進退するラッチ部材をドアの側縁部に設け、電源に接続された一次コイルをドア周辺部の受け部に面する位置又は近接する位置に配設し、電気機器に接続された二次コイルがラッチ部材における前記受け部に臨む部位に配設し、ドアを閉めてラッチ部材を受け部へ移動させたときに、前記一次コイルと二次コイルとが対面することにより、電磁誘導によって電気機器へ電力が供給されるところにある。
【０００５】
前記ドア給電装置において、ドア側縁部に設けるラッチ部材とは、閂やデッドボルトのような施錠手段の一部を構成する部材であるほか、ドアに通常設けられる仮締め用のラッチボルトであってもよい。ラッチ部材を受け入れる受け部は普通ドア枠に設けられるが、ドア枠が省略される場合は、建物躯体に受け部が設けられる。電源に接続される一次コイルは、受け部に面して設けるのが望ましいが、状況により、受け部表面が金属板等で覆われる場合は、その内面直下に配置すればよい。二次コイルの配置についても同様である。なお一次コイル及び二次コイルとは、コイル単独であるほか、コイルを巻き付けたコアを含む場合もある。
【０００６】
ところで本発明に係るドア給電装置は、請求項２に記載する如く、電源と接続された電源側一次コイルをドア周辺部の受け部に面する位置又は近接する位置に配設し、ラッチ部材における受け部に臨む一端部に電源側二次コイルが配設すると共に、ラッチ部材におけるドアに臨む他端部に電源側二次コイルと接続された機器側一次コイルを配設し、電気機器に接続された機器側二次コイルをドアの側縁部近傍に配設し、ドアを閉めてラッチ部材を受け部へ移動させたときに、電源側一次コイルと電源側二次コイルとが対面すると同時に機器側一次コイルと機器側二次コイルとが対面することにより、電磁誘導によって電気機器へ電力が供給される構成とすることも可能である。
【０００７】
前記ドア給電装置において、請求項３に記載の如く、ラッチ部材を受け部へ移動させたときに、ラッチ部材の二次コイルをドア周辺部の一次コイルへ接近させる方向へ当該ラッチ部材を押しつける手段を設けることが望ましい。
【０００８】
また請求項４に記載の如く、ドアに蓄電手段を設け、ラッチ部材を受け部へ移動させて電気機器へ電力が供給されるときに、前記蓄電手段の充電が同時に行われるように構成することもできる。
【０００９】
さらに請求項５に記載の如く、電源からドアに設けた電気機器への給電状態を検知する手段を設けてもよい。
【発明の効果】
【００１０】
請求項１又は２に係るドア給電装置によれば、ドアを閉めてラッチ部材をドア周辺部の受け部へ移動させることにより、ドア周辺部側の一次コイルとラッチ部材側の二次コイルとを対面させるから、一次コイルと二次コイルとを容易に近接させることができる。従って、電磁誘導による電源から電気機器への給電が確実になる。
【００１１】
請求項２に係るドア給電装置によれば、ラッチ部材における受け部側端部及びドア側端部それぞれに電源側二次コイル及び機器側一次コイルを配設し、ラッチ部材からドアに設けた電気機器への給電を、ラッチ部材の機器側一次コイルとドアの機器側二次コイルとの間での電磁誘導作用を利用して行うようにしたから、ラッチ部材と受け部との間は勿論、ラッチ部材とドアとの間についても、電気配線が不要となる。つまり、電源から電気機器への電力供給を中継するラッチ部材は、外面に配線を持たないから、ラッチ部材の取り付け作業や開閉操作が容易になると共に、電気配線が露出しないので使用者に対する安全性にも優れる。
【００１２】
請求項３に記載の如く、ラッチ部材を受け部へ移動させたときに、ラッチ部材の二次コイルをドア周辺部の一次コイルへ接近させる方向へ当該ラッチ部材を押しつける手段を設けた場合は、ラッチ部材の二次コイルとドア周辺部の一次コイルとを確実に近接させることができるので、給電状態を良好に維持することができる。
【００１３】
請求項４に記載の如く、ドアに蓄電手段を設けて、電気機器へ電力が供給されるときに同時に充電が同時に行われるようにした場合は、この蓄電手段により、ラッチ部材を受け部へ移動させていないときでも、ドアに設けた電気機器を動作させることが可能である。
【００１４】
請求項５に記載の如く、電源からドアに設けた電気機器への給電状態を検知する手段を設ければ、ドアを肉眼で観察したり、実際に施開錠状態の確認作業を行ったりすることなく、ドアが設けられている部屋の使用状況又はドアの開閉状況を把握することが可能となる。
【発明を実施するための最良の形態】
【００１５】
［第１の実施形態］
本発明の一実施形態を、トイレ室のドアに設けた表示灯への給電装置に適用した場合を例にして説明する。図１乃至図３に概略的に示したドア給電装置Ｓは、ドアＤに設置した電気機器Ｅとしての表示灯１へ、施錠手段Ｑの一部を構成するラッチ部材Ｒを介して、電源Ｐから電力を供給するものであり、図１に示す施錠状態のときに表示灯１へ給電して、例えば図３（Ｂ）に示す如く「使用中」の点灯表示を行い、図２に示す開錠状態のときは通電を停止して表示灯１を消灯させる。
【００１６】
施錠手段Ｑは、トイレ室の場合、室内側から施開錠操作するように設けられるのが普通であり、本例では図１，２に示す如く、ドアＤの側縁部に設けたガイド部材５と、ドア枠又は建物躯体から成るドア周辺部Ｗに設けたガイド部材７と、両ガイド部材５，７により案内されて進退するラッチ部材Ｒとより構成される。ラッチ部材Ｒは棒状又は柱状の部材であり、両ガイド部材５，７は、ラッチ部材Ｒを進退可能に挿通させる案内部５ａ，７ａを有している。ラッチ部材ＲにおけるドアＤの側縁部から突出する側を先端、反対側を後端とすると、ラッチ部材Ｒを前進させることにより、案内部７ａを挿通したラッチ部材Ｒの先端部位が、ドア周辺部Ｗの表面に設定した受け部Ｘに当接していわゆる閂構造を構成し、ドアＤの開放を阻止する。また、ラッチ部材Ｒの進退操作用の摘み部ｔをドアＤ側のガイド部材５に設けたストッパー６に当接させることにより、ラッチ部材Ｒの前進位置が規定され、ラッチ部材Ｒの後端部をドアＤの室内側表面に設けたストッパー４に当接させることにより、ラッチ部材Ｒの後退位置が規制されている。
【００１７】
ドア周辺部Ｗ側のガイド部材７の案内部７ａ内には、ラッチ部材Ｒを押圧する付勢手段８が設けられている。該付勢手段８は、板ばね・コイルばね等の弾性部材を用いて構成することが考えられ、ラッチ部材Ｒを案内部７ａ内へ挿通させたときに、ラッチ部材Ｒの先端部位をドア周辺部Ｗの受け部Ｘへ弾性的に押しつけるよう機能する。
【００１８】
ドア周辺部Ｗの受け部Ｘに面する位置又は近接する位置には、適当なケースに収納した一次コイル１０が配設される。一次コイル１０は電源Ｐと配線１１で接続され、必要に応じ電圧値・電流値・周波数等を制御したり異状時に通電を遮断したりするための制御器９が途中に設けられる。
【００１９】
ラッチ部材Ｒの先端部位には、適当なケースに収納した二次コイル２０が配設され、この二次コイル２０は、ラッチ部材Ｒ内部に設けた配線３ａ及びドアＤに設けた配線３ｂによって、ドアＤの電気機器Ｅと接続されている。なおドアＤ部分の配線３ｂについては、ラッチ部材Ｒの進退移動に追従できるよう、例えば螺旋状等の伸縮可能な形態とすることが望ましい。また必要に応じ、二次コイル２０と電気機器Ｅとを接続する配線３ａ，３ｂの途中に、整流化・間欠通電等、電気機器Ｅへの通電状態を制御・調整する制御回路２を設けてもよい。
【００２０】
前述の如く構成されたドア給電装置Ｓは、図３（Ａ）に示すようにトイレ室Ｚの使用者がドアＤを閉め、図１に示す如く、施錠手段Ｑのラッチ部材Ｒを前進させて施錠状態にすると、ドア周辺部Ｗの一次コイル１０とラッチ部材Ｒの二次コイル２０とが対面する。これにより、電源Ｐの電力が、電磁誘導作用により一次コイル１０から二次コイル２０へ供給され、その結果、電気機器Ｅへの給電がなされるので、例えば表示灯１の「使用中」表示が点灯する。このときラッチ部材Ｒの先端部位は、ドア周辺部Ｗ側のガイド部材７に設けた付勢手段８により受け部Ｘへ押しつけられるため、一次コイル１０と二次コイル２０とは隙間なく接する。従って、電磁誘導による給電性能が安定する。
【００２１】
使用者がトイレ室Ｚから退出するため、図２に示すように、ラッチ部材Ｒを後退させて施錠手段Ｑを開錠状態としたならば、一次コイル１０と二次コイル２０とが離隔して電磁誘導が行われなくなるので、電気機器Ｅへの通電が停止し、従って表示灯１は消灯する。
【００２２】
このように、本例のドア給電装置Ｓは、ドアＤを閉めて施錠することにより表示灯１が点灯するものであり、単にドアＤを閉めただけでは表示灯１への給電がなされないから、使用状態の把握を正確に行える。
【００２３】
［第２の実施形態］
図４及び図５に、本発明に係るドア給電装置Ｓの異なる実施形態を示す。なお図面において使用した同じ符号は、共通の部材または部位を指すものとする。本例では、ラッチ部材Ｒの先端部位に、適当なケースに収納した電源側二次コイル２０を配設すると共に、後端部位に適当なケースに収納した機器側一次コイル２１を配設し、電源側二次コイル２０と機器側一次コイル２１とをラッチ部材Ｒ内部の配線３ａで接続する。またドアＤには、適当なケースに収納した機器側二次コイル３０を配設し、電気機器Ｅと配線３ｂで接続する。そして図４に示す如く、ラッチ部材Ｒを前進させて施錠状態としたときに、ドア周辺部Ｗに配設した電源側一次コイル１０とラッチ部材Ｒ先端側の電源側二次コイル２０とが対面すると同時に、ラッチ部材Ｒ後端側の機器側一次コイル２１とドアＤの機器側二次コイル３０とが対面するように設定した。
【００２４】
前記の如く構成された本例のドア給電装置Ｓは、施錠手段Ｑのラッチ部材Ｒを前進させて図４に示す施錠状態にすると、ドア周辺部Ｗ側の電源側一次コイル１０とラッチ部材Ｒ先端側の電源側二次コイル２０とが対面し、両者間の電磁誘導作用により電源側二次コイル２０に誘導起電力が生じ、これによってラッチ部材Ｒ後端側の機器側一次コイル２１にも電力が発生する。そして、機器側一次コイル２１とドアＤの機器側二次コイル３０との間で生じる電磁誘導により、機器側二次コイル３０に電力が発生し、これが電気機器Ｅへ供給される。
【００２５】
本例では、ラッチ部材ＲとドアＤとの間に配線接続を施す必要がないので、施錠手段Ｑの取り付けが容易である。またラッチ部材Ｒの外面に配線が存在しないから、使用者に対する安全性を高められると共に、ラッチ部材Ｒの進退操作が容易になるという利点が得られる。
【００２６】
［第３の実施形態］
図６は、施錠手段Ｑのラッチ部材ＲがドアＤに設けられるデッドボルトである場合に、本発明を適用した実施形態を示すものである。なお図面に用いた同じ符号は共通の部材又は部位を指すものとする。同図に示すように、ラッチ部材Ｒがデッドボルトであるとき、ドアＤ側にはラッチ部材Ｒ（デッドボルト）を進退可能に収納する収納凹部１３が形成され、ドア周辺部Ｗ側には、ラッチ部材Ｒの先端部を収納する受け入れ凹部１２が形成される。ラッチ部材Ｒに進退操作用のレバーＬを設ける場合は、このレバーＬを突出させるための切欠部１４がドアＤに設けられる。なお、施錠手段Ｑをシリンダ錠とする場合は、ラッチ部材Ｒの進退を、キー（鍵）やサムターンで操作するように構成される。
【００２７】
本例では、ラッチ部材Ｒの受け部Ｘはドア周辺部Ｗに形成した受け入れ凹部１２となるので、電源Ｐに接続されるドア周辺部Ｗ側の一次コイル１０を、この受け入れ凹部１２に面するように配置する。また、ラッチ部材Ｒ側の二次コイル２０とドアＤの電気機器Ｅとを接続する配線のうち、ドアＤの収納凹部１３内に位置する部分３ｂについては、ラッチ部材Ｒの進退に追従できるよう、例えば螺旋状に形成して、伸縮可能とすることが望ましい。
【００２８】
ところで本例にあっては、ラッチ部材Ｒをドア周辺部Ｗの受け部Ｘへ押しつけるための付勢手段８を、ラッチ部材Ｒの側面に当接する押圧部材８ａと、この押圧部材８ａに突出方向の付勢力を与えるバネ８ｂとで構成した。押圧部材８ａは、開錠状態のとき、受け入れ凹部１２内へ突出しており、施錠のためラッチ部材Ｒを前進させたときに、ラッチ部材Ｒの先端部が当接することにより、バネ８ｂの弾性力に抗して後退するものである。従って押圧部材８ａは、ラッチ部材Ｒの移動を妨げず且つ後退が円滑に行えるよう、先端部に受け入れ凹部１２の入口側に面する傾斜面８ａ−１を形成したり、あるいは先端部を半球面状に形成するとよい。
【００２９】
［第４の実施形態］
図７は、施錠手段Ｑのラッチ部材ＲがドアＤの仮締め用ラッチボルトである場合に、本発明を適用した実施形態を示すものである。なお図面における同じ符号は共通の部材又は部位を指すものとする。同図に示すように、ラッチ部材Ｒがドアノブと連動するラッチボルトであるとき、ドアＤ側にはラッチ部材Ｒ（ラッチボルト）を進退可能に収納する収納凹部１３が形成され、ドア周辺部Ｗ側には、ラッチ部材Ｒの先端部を収納する受け入れ凹部１２が形成される。またラッチ部材Ｒをドアノブと連動させるための連動機構１５や、ラッチ部材Ｒを常時突出方向へ付勢するバネ１６等がドアＤの収納凹部１３内に設けられる。図示する例では、電源Ｐに接続したドア周辺部Ｗの電源側一次コイル１０を受け入れ凹部１２に面するように配置し、ラッチ部材Ｒの前後端部に電源側二次コイル２０及び機器側一次コイル２１を配設し、ドアＤ側に電気機器Ｅと接続される機器側二次コイル３０を配設した。
【００３０】
本例のドア給電装置Ｓは、かかる構成に基づき、ドアＤが開いている状態又はドアノブを回した状態にすると電気機器Ｅへの通電がなくなり、ドアＤを閉じた状態にすると電気機器Ｅへの給電が開始される。つまり、ドアＤの開閉と電気機器Ｅの動作とが連動している。従って、電気機器えへの通電状態を検知することで、ドアの開閉状態を容易に把握することができる。
【００３１】
［第５の実施形態］
図８は、ラッチ部材Ｒをドア周辺部Ｗの受け部Ｘへ押しつける手段に関する異なる実施形態を示すものである。本例では、図８（Ａ）に示す如く、ラッチ部材Ｒの先端部に傾斜面２２を形成すると共に、ドア周辺部Ｗ側のガイド部材７における案内部７ａ内面に、上記傾斜面２２に対応する傾斜面７ｂを形成した。かかる構成により、図８（Ｂ）に示すように、ラッチ部材Ｒを前進させ先端部をガイド部材７の案内部７ａ内へ挿入すると、ラッチ部材Ｒの傾斜面２２とガイド部材７の傾斜面７ｂとが面接触するため、ラッチ部材Ｒは傾斜面２２（７ｂ）の方向に沿って移動しようとする。その結果、ラッチ部材Ｒに受け部Ｘの方向へ押しつける力が作用することになるので、ドア周辺部Ｗ側の一次コイル１０とラッチ部材Ｒ側の二次コイル２０とを隙間なく当接させることが可能である。
【００３２】
［第６の実施形態］
ドアＤに設ける電気機器Ｅの種類は、表示灯に限定されるものではない。本発明に係るドア給電装置Ｓによれば、商用電源とほぼ同じ程度の比較的大きい電力を容易に得ることができるので、例えば図９（Ａ）に示すような照明装置１７や、同図（Ｂ）に示すようなディスプレー装置１８をドアＤに設置し、施錠手段Ｑのラッチ部材Ｒを操作して施錠状態とすると給電されるように構成することが可能である。本例では、施錠状態のときのみ電気機器Ｅへの給電がなされ、ドアＤが開いているときには通電がなされないから、使用者が不在のときは電力消費がないので、確実な節電機能を発揮する。また公衆トイレのように複数のトイレ室を有する場合に、図９（Ａ）に示す如く個別に照明装置１７を設けることにより、使用するトイレ室については十分な照明が得られるから快適使用が保証され、全体照明については低電力化することができるから節電効果が大きい。また図９（Ｂ）の如く個別にディスプレー装置１８を設け、使用中の部屋だけに広告その他の情報表示を行えるから、低コストで情報提供を行えるという効果が発揮される。
【００３３】
［第７の実施形態］
図１０に示すように、電源Ｐと一次コイル（図示省略）とを接続する配線１１の途中に設けた制御器９によって、ドアＤに設置した電気機器への給電状態を検知し、これを別途設けた管理装置Ｃに表示させて、部屋等の使用状況を一元管理することが可能である。例えばトイレ室Ｚが複数有る場合、施錠状態と、本発明に係るドア給電装置Ｓによる表示灯１への給電とは連動している。従って表示灯１への通電の有無を検知し、検知結果を管理装置Ｃ等に設けたインジケータ等で表示させることにより、トイレ室Ｚの使用状況を容易に把握できる。図示の例では、トイレ１及び３が使用中であり、トイレ２は空室であることが、管理装置Ｃの表示から容易に知ることができる。
【００３４】
［第８の実施形態］
図１１に示すように、複数の部屋Ｙの各ドアＤに無線発信器４０を設置し、本発明に係るドア給電装置Ｓにより、施錠状態のとき又はドアＤの閉止状態のとき（部屋１及び３）に給電が行われて発信器４０から検知信号が出力され、開錠状態のとき又はドアＤが開放状態のとき（部屋２）には給電が停止することにより、検知信号が消失するように構成することも考えられる。本例では、管理装置Ｃがアンテナ３１で検知信号を受信することにより、部屋Ｙの使用状況又は開閉状況を把握することが可能である。
【００３５】
［第９の実施形態］
図１２は、ドアＤに電気機器Ｅと共に蓄電手段５０（鉛蓄電池、ニッケルカドミウム電池、リチウム電池その他）を設け、ドア給電装置Ｓによる電気機器Ｅへの給電と同時に、蓄電手段５０の充電が行われるように構成したものである。本例は、例えば、ドアノブＮを照明する低消費電力の照明装置５１を設け、夜間等の消灯後は、前記蓄電手段５０によって照明装置５１を発光動作させるようにすることが考えられる。
【図面の簡単な説明】
【００３６】
【図１】本発明の第１の実施形態に係るものであって、施錠状態にあるドア給電装置の概略構成を示す平面断面図である。
【図２】本発明の第１の実施形態に係るものであって、開錠状態にあるドア給電装置の概略構成を示す平面断面図である。
【図３】本発明の第１の実施形態に係るものであって、図（Ａ）はドア給電装置を設けたトイレの平面断面図、図（Ｂ）は表示灯の変化を示す概略正面図である。
【図４】本発明の第２の実施形態に係るものであって、施錠状態にあるドア給電装置の概略構成を示す平面断面図である。
【図５】本発明の第２の実施形態に係るものであって、開錠状態にあるドア給電装置の概略構成を示す平面断面図である。
【図６】本発明の第３の実施形態に係るものであって、施錠状態にあるドア給電装置の概略構成を示す平面断面図である。
【図７】本発明の第４の実施形態に係るものであって、施錠状態にあるドア給電装置の概略構成を示す平面断面図である。
【図８】本発明の第５の実施形態に係るものであって、図（Ａ）は開錠状態にあるドア給電装置の要部を示す平面断面図、図（Ｂ）は施錠状態にあるドア給電装置の要部を示す平面断面図である。
【図９】本発明の第６の実施形態に係るものであって、図（Ａ）は電気機器を照明装置としたドア給電装置の概略構成を示す室内側から見た正面図、図（Ｂ）は電気機器をディスプレー装置としたドア給電装置の概略構成を示す室内側から見た正面図である。
【図１０】本発明の第７の実施形態に係るものであって、複数の部屋の使用状況を管理できるように構成したドア給電装置の概略構成を示す図面である。
【図１１】本発明の第８の実施形態に係るものであって、複数の部屋の使用状況を管理できるように構成したドア給電装置の概略構成を示す図面である。
【図１２】本発明の第９の実施形態に係るドア給電装置の概略構成を示す図面である。
【符号の説明】
【００３７】
Ｄ…ドア  Ｅ…電気機器  Ｐ…電源  Ｑ…施錠手段  Ｒ…ラッチ部材  Ｓ…ドア給電装置
Ｗ…ドア周辺部  Ｘ…受け部  Ｚ…トイレ室
１…表示灯  ２…制御回路  ３ａ…配線  ３ｂ…配線  ５…ガイド部材（ドア側）  ５ａ…案内部  ７…ガイド部材（ドア周辺部側）  ７ａ…案内部  ８…付勢手段  ９…制御器  １０…一次コイル（電源側）  ２０…二次コイル（ラッチ部材側）  ２１…機器側一次コイル  ３０…機器側二次コイル  ３１…アンテナ  ４０…無線発信器  ５０…蓄電手段
【図１】
2009041196.tif 000003
【図２】
2009041196.tif 000004
【図３】
2009041196.tif 000005
【図４】
2009041196.tif 000006
【図５】
2009041196.tif 000007
【図６】
2009041196.tif 000008
【図７】
2009041196.tif 000009
【図８】
2009041196.tif 000010
【図９】
2009041196.tif 000011
【図１０】
2009041196.tif 000012
【図１１】
2009041196.tif 000013
【図１２】
2009041196.tif 000014